(57)【特許請求の範囲】
【請求項１】
ランプを収納するグローブと、
前記ランプを点灯する点灯回路の中、消費電力が変わっても共通に用いられ、基板に実装されるインバータ回路部品をモールド化したカバー部と、
このカバー部に設けられ、開口したパッケージ装着部と、
このパッケージ装着部に装着され、前記ランプを点灯する点灯回路の中、消費電力の大きさにより変更される電力依存部品をモールド化した部品パッケージとを備えたことを特徴とする電球形蛍光ランプ。
【請求項２】
前記部品パッケージを前記パッケージ装着部に着脱自在に装着したことを特徴とする請求項１記載の電球形蛍光ランプ。
【請求項３】
前記部品パッケージは、回動可能な接続端子が上下グローブ２ヶ所に取り付けられ、前記接続端子がラッチ係合することにより前記部品パッケージが前記カバー部に固定されることを特徴とする請求項１記載の電球形蛍光ランプ。
【請求項４】
前記部品パッケージは凹コネクタを有し、前記凹コネクタは前記基板に接続する凸コネクタと結合することを特徴とする請求項２記載の電球形蛍光ランプ。
【発明の詳細な説明】
【０００１】
【発明の属する技術分野】
この発明は、電球形蛍光ランプに関するものである。特に、異なる消費電力を持つ電球形蛍光ランプの共通部品を一体化し、消費電力により異なる部品を装着することにより、電球形蛍光ランプの消費電力を自由に選択することができる発明に関するものである。
【０００２】
【従来の技術】
図７は、従来の電球形蛍光ランプを示す図である。
ランプ１は、グローブ２に収納されている。また、基板３とインバータ回路部品７がカバー部４に収納されている。口金６は、カバー部４の上に取り付けられている。
【０００３】
従来の電球形蛍光ランプに内蔵されるインバータ回路は、ランプの消費電力（ワット数又は明るさ）に応じてインバータ回路を設計し、個別に製品を組み上げてきた。従って、できあがった製品の明るさを変えることはできない。例えば、消費電力が１０ワットで製造された蛍光ランプを他の消費電力の蛍光ランプ、例えば、１４ワット、１８ワット又は２３ワットの蛍光ランプに変更することはできない。
【０００４】
【発明が解決しようとする課題】
従来の電球形蛍光ランプは、製造時点から消費電力に応じて製品が製造されているため、一度完成した製品の消費電力を変更するということができないという課題があった。
また、消費電力に応じて生産ラインを切り換えなければならないという課題があった。
【０００５】
この発明は、以上のような課題を解決するためになされたものであり、電球形蛍光ランプにおいて、１０ワット、１４ワット、１８ワット、２３ワット等の消費電力が異なる場合においても、一度製品にした電球形蛍光ランプの値を変更することができる電球形蛍光ランプを提供することを目的とする。
また、組み立てラインを変更することなく、消費電力の異なる電球形蛍光ランプを製造できるようにすることを目的とする。
【０００６】
【課題を解決するための手段】
この発明に係る電球形蛍光ランプは、ランプを収納するグローブと、
ランプを点灯する点灯回路の中、消費電力が変わっても共通に用いられ、基板に実装されるインバータ回路部品をモールド化したカバー部と、
このカバー部に設けられ、開口したパッケージ装着部と、
このパッケージ装着部に装着され、ランプを点灯する点灯回路の中、消費電力の大きさにより変更される電力依存部品をモールド化した部品パッケージとを備えたことを特徴とする。
【０００７】
この発明に係る電球形蛍光ランプは、部品パッケージをパッケージ装着部に着脱自在に装着したことを特徴とする。
【０００８】
この発明に係る電球形蛍光ランプは、部品パッケージが、回動可能な接続端子が上下グローブ２ヶ所に取り付けられ、接続端子がラッチ係合することにより部品パッケージがカバー部に固定されることを特徴とする。
【０００９】
この発明に係る電球形蛍光ランプは、部品パッケージは凹コネクタを有し、凹コネクタは基板に接続する凸コネクタと結合することを特徴とする。
【００１０】
この発明に係る電球形蛍光ランプは、ランプを収納するグローブと、
ランプを点灯する点灯回路の中、消費電力が変わっても共通に用いられ、基板に実装されるインバータ回路部品をモールド化したカバー部と、
このカバー部に設けられ、開口したパッケージ装着部と、
このパッケージ装着部に装着され、ランプを点灯する点灯回路の中、熱に弱い部品を熱に弱い部品の周囲に空気層を設けて収容する部品パッケージとを備えたことを特徴とする。
【００１１】
この発明に係る電球形蛍光ランプは、熱に弱い部品が、電解コンデンサであることを特徴とする。
【００１２】
【発明の実施の形態】
実施の形態１．
図１は、この発明の電球形蛍光ランプを示す図である。
従来例と異なる点は、カバー部４に、開口されたパッケージ装着口４１を設け、パッケージ装着口４１から部品パッケージ４２をカバー部４の外部から装着可能とした点である。
図２は、部品パッケージ４２の一例を示す図である。
図３は、図１に示した電球形蛍光ランプの上部断面図である。
カバー部４０は、１０，１４，１８，２３ワットに共通に用いられるインバータ回路部品７を一体化し、モールドしたものである。一方、部品パッケージ４２は、１０，１４，１８，２３ワットそれぞれに別個に用いられる部品のみを電力依存部品４５としてモールドしたものである。従って、図２に示す部品パッケージ４２は、形状は同一だが、例えば、１０ワット用、１４ワット用、１８ワット用、２３ワット用の４種類が存在する。部品パッケージ４２をパッケージ装着口４１から矢印Ａの方向にスライドして挿入することにより、部品パッケージ４２がカバー部４０にはめ込まれる。部品パッケージ４２には、矢印Ｂの方向に回動可能な接続端子４３が上下グローブ２カ所に取り付けられている。部品パッケージ４２がパッケージ装着口４１に対して挿入されると、接続端子４３は一端へこみ、接続端子４３がターミナル４６のくぼみにきた時点で再び飛び出し、接続端子４３がラッチ係合することにより部品パッケージ４２がカバー部４０に固定される。そして、接続端子４３とターミナル４６は、電気的に結合する。ターミナル４６は、基板３と電気的に結合されている。従って、部品パッケージ４２の内部にモールディングされた電力依存部品４５は、基板３及びインバータ回路部品７と電気的に結合し、点灯動作可能となる。
【００１３】
なお、図２に示した接続端子４３は、ラッチ係合する形を示しており、矢印Ａの方向に挿入された後は、引き出すことができない形状をしているが、接続端子４３の形状を、ラッチ形でなく、山形、或いは、カーブ形にすることにより部品パッケージ４２は、カバー部４０に対して着脱可能にできる。従って、一度製造された製品の明るさを部品パッケージ４２を変更することにより容易に変えることができる。
【００１４】
実施の形態２．
図４は、接続端子４３の代わりに、凹コネクタ４４を用いる場合を示している。
図５は、電球形蛍光ランプの上部断面図である。
凹コネクタ４４は、凸コネクタ４７と結合する。凸コネクタ４７は、基板３に電気的に結合されているため、電力依存部品４５と基板３及びインバータ回路部品７が電気的に結合する。
なお、コネクタの形状はどのような形状でもよい。また、図５に示すように、部品パッケージ４２にモールディングされている電力依存部品４５は、複数あっても構わない。
【００１５】
実施の形態３．
図６は、電解コンデンサ５を部品パッケージ４２に配置した場合を示している。
図６の場合は、電解コンデンサ５は部品パッケージ４２にモールディングされているのではなく、電解コンデンサ５の周囲に空気層（断熱層）を設けている。また、部品パッケージ４２に通気孔４８を設けることにより、部品パッケージ４２の内部の空気と外部の空気が流通できるようにし、更に、放熱効果を高めている。図６に示す場合は、インバータ回路部品７の内、熱に弱い電解コンデンサ５を、特に部品パッケージ４２により隔離する場合を示している。仮に、電解コンデンサ５が故障した場合でも、部品パッケージ４２を取り替えることにより新たな電解コンデンサ５を装着することができ、容易に修理をすることができる。
なお、電界コンデンサ５以外の故障しやすい部品を部品パッケージ４２に配置してもよい。
【００１６】
実施の形態４．
図示していないが、図３と図６を組み合わせて１つの部品パッケージ４２の中に電力依存部品４５と電解コンデンサ５を配置しても構わない。或いは、１つの電球形蛍光ランプに対して、図３の部品パッケージ４２と図６の部品パッケージ４２をそれぞれ個別に設けても構わない。
【００１７】
同様に、図５と図６を組み合わせて１つの部品パッケージ４２の中に電力依存部品４５と電解コンデンサ５を配置しても構わない。或いは、１つの電球形蛍光ランプに対して、図５の部品パッケージ４２と図６の部品パッケージ４２を個別に配置しても構わない。
【００１８】
上記説明においては、部品パッケージ４２に電力依存部品４５を配置する場合を説明したが、電力依存部品４５及びその他消費電力には依存しない部品を合わせて部品パッケージ４２に配置しても構わない。
また、カバー部４０の内部に部品をモールディングする場合を示したが、モールディングしない場合であっても構わない。
また、部品パッケージ４２の内部に電力依存部品４５をモールディングする場合を示したが、モールディングしない場合でもあっても構わない。
【００１９】
以上述べてきた電球形蛍光ランプは、ランプを収納するグローブと、ランプを点灯する点灯回路を収納するカバー部とを有する電球形蛍光ランプにおいて、
点灯回路の一部の部品をカバー部の外部から装着することを特徴とする。
【００２０】
上記カバー部は、点灯回路の他の部品の少なくとも一部をカバー部内にモールドしていることを特徴とする。
【００２１】
上記カバー部の外部から装着される点灯回路の一部の部品は、消費電力の大きさによって変更される部品を含むことを特徴とする。
【００２２】
上記カバー部の外部から装着される点灯回路の一部の部品は、点灯回路の他の部品に比べて故障しやすい部品を含むことを特徴とする。
【００２３】
【発明の効果】
以上のように、この発明によれば、製品の完成後に必要に応じてランプの明るさを変えることができる。
【００２４】
また、この発明によれば、消費電力が異なる電球形蛍光ランプを製造する場合においても、１つの組み立てラインを用いて製造することができる。
【図面の簡単な説明】
【図１】  この発明の電球形蛍光ランプを示す図である。
【図２】  この発明の部品パッケージ４２の一例を示す図である。
【図３】  この発明の部品パッケージ４２の装着断面図である。
【図４】  この発明の部品パッケージ４２の他の例を示す図である。
【図５】  この発明の部品パッケージ４２の装着一例を示す図である。
【図６】  この発明の部品パッケージ４２の装着一例を示す図である。
【図７】  従来の電球形蛍光ランプを示す図である。
【符号の説明】
１  ランプ、２  グローブ、３  基板、４  カバー部、５  電解コンデンサ、６  口金、７  インバータ回路部品、４０  カバー部、４１  パッケージ装着口、４２  部品パッケージ、４３  接続端子、４４  凹コネクタ、４５  電力依存部品、４６  ターミナル、４７  凸コネクタ、４８  通気孔。
【図１】
0004146959.tif 000002
【図２】
0004146959.tif 000003
【図３】
0004146959.tif 000004
【図４】
0004146959.tif 000005
【図５】
0004146959.tif 000006
【図６】
0004146959.tif 000007
【図７】
0004146959.tif 000008